(57)【特許請求の範囲】
【請求項１】
運動具枠体を芯体とする物品の装飾機構であって、
前記芯体を被覆する、内部に空気を密閉した透光性エアカバーと、
前記芯体と前記透光性エアカバー間に配置され、らせん状に屈曲した前記芯体に巻きつけて配置される発光素子とを備える物品の装飾機構により装飾される遊具。
【請求項２】
前記透光性エアカバーが、
透光性シートと、
前記透光性シート上に配置される、空気を密閉した複数の透光性エア部材である、請求項１に記載の遊具。
【請求項３】
前記空気を密閉した複数の透光性エア部材が、内部に空気を密閉した透光性筒状部材である、請求項２に記載の遊具。
【請求項４】
前記透光性エアカバーを被覆する透光性シートを更に備える、請求項１から３いずれか一項に記載の遊具。
【請求項５】
前記透光性シートが、反射ホログラムシートである、請求項４に記載の遊具。
【請求項６】
前記透光性エアカバーが、前記芯体を被覆する弾性部材上に配置され、
前記発光素子が、前記弾性部材と前記透光性エアカバー間に配置される、請求項１から５いずれか一項に記載の遊具。
【請求項７】
前記遊具に、
弾性芯材と、
前記弾性芯材が、らせん状に屈曲した芯体であり、該らせん状に屈曲した前記芯体に巻きつけて配置される発光素子と、
前記発光素子が巻かれた芯材を被覆する、内部に空気を密閉した透光性エアカバーと、
前記透光性エアカバーを被覆する透光性シートを備えた装飾具を更に備える、請求項１から６いずれか一項に記載の遊具。
【発明の詳細な説明】
【技術分野】
【０００１】
本発明は、装飾機構及び該装飾機構を使用した装飾品に関する。特にＬＥＤのような装飾を装飾品に使用可能な装飾機構及び、該装飾機構を使用した装飾品、運動具、及び遊具に関する。
【背景技術】
【０００２】
室内遊園地に配置される大型の遊具のカバーとしてウレタン３２０等の柔らかい素材のカバーを形成して、遊具全体を被覆することが多い。若しくは、柔らかい素材で遊具を形成することが多い。更に、発光素子を設けた遊具も多く見られる。例えば下記特許文献には、異なる弾力性を有する素材で形成したクッション遊具が開示されている。更に、特許文献２には、発光素子を設けた遊具が開示されている。
【先行技術文献】
【特許文献】
【０００３】
【特許文献１】特開２００４−１７３８０７号公報
【特許文献２】特開２００６−８７８９６号公報
【発明の概要】
【発明が解決しようとする課題】
【０００４】
上記特許文献に開示の技術のように、従来の遊具は柔らかく仕上げたい部分（例えばユーザが掴まる部分）には発光素子は適用されなかった。特許文献２の技術のように足踏み部分か、表示パネル部分に適用されていたのみであった。これは、発光素子の光はある程度強いので、ユーザの顔が触れる箇所で発光素子を使用したくなかったからである。一方点滅するライト自体は子供に人気があり、遊具メーカには点滅ライトを遊具に使用したいという需要が多かった。【０００５】
本発明の目的は、ユーザが掴まるような柔らかく仕上げたい部分に発光素子を使用した装飾機構及び該装飾機構を使用した装飾品、運動具、及び遊具を提供することである。
【課題を解決するための手段】
【０００６】
上記課題を達成するための本発明は、物品の枠体を芯体とする物品の装飾機構である。上記装飾機構は、透光性エアカバーと、発光素子を備える。透光性エアカバーは、芯体を被覆し、内部に空気を密閉したカバーであり、発光素子は、上記芯体と上記透光性エアカバー間に配置される。
芯体と透光性エアカバー間に発光素子を配置することにより、透光性エアカバーが発光素子の光量を減少させることになる。従って、ユーザの顔が触れるところにも上記発光素子を使用することができる。更に、透光性エアカバーにより、枠体の表面を柔らかく仕上げることが出来るので、発光素子を柔らかい素材に適用することが可能となる。【０００７】
上記透光性エアカバーが、透光性シートと、上記透光性シート上に配置される、空気を密閉した複数の透光性エア部材であることが望ましい。さらに、空気を密閉した複数の透光性エア部材が、内部に空気を密閉した透光性筒状部材であることが望ましい。内部に空気を密閉したカバーは筒状部材で形成することが可能である。
上記透光性エアカバーは、上記芯体を被覆する弾性部材上に配置される。そして、上記発光素子が、弾性部材と透光性エアカバー間に配置される。弾性部材により更にクッション性が増し、ユーザが衝突する際の衝撃を更に吸収する。【０００８】
透光性エアカバーを被覆する透光性シートを更に備えることが望ましい。そして、透光性シートが、反射ホログラムシートであることが望ましい。反射ホログラムシートにより、発光素子の光を乱反射することが出来るので、発光素子の光を更に和らげることが出来る。
上記構成の物品の装飾機構は、運動具、遊具、家具を装飾することが可能である。【０００９】
そして、装飾機構により装飾される運動具に装飾具を備えることが出来る。上記装飾具は、弾性芯材と、上記弾性芯材に巻かれる発光素子と、透光性エアカバーと、透光性シートを備える。透光性エアカバーは、発光素子が巻かれた芯材を被覆し、内部に空気を密閉する。透光性シートは、上記透光性エアカバーを被覆する。
さらに、装飾機構により装飾される遊具に装飾具を備えることが出来る。上記装飾具は、弾性芯材と、上記弾性芯材に巻かれる発光素子と、透光性エアカバーと、透光性シートを備える。透光性エアカバーは、発光素子が巻かれた芯材を被覆し、内部に空気を密閉する。透光性シートは、上記透光性エアカバーを被覆する。
【発明の効果】
【００１０】
本発明は、物品の枠体を芯体とする物品の装飾機構である。上記装飾機構は、透光性エアカバーと、発光素子を備える。透光性エアカバーは、芯体を被覆し、内部に空気を密閉したカバーであり、発光素子は、上記芯体と上記透光性エアカバー間に配置される。
芯体と透光性エアカバー間に発光素子を配置することにより、透光性エアカバーが発光素子の光量を減少させることになる。従って、ユーザの顔が触れるところにも上記発光素子を使用することができる。更に、透光性エアカバーにより、枠体の表面を柔らかく仕上げることが出来るので、発光素子を柔らかい素材に適用することが可能となる。
【図面の簡単な説明】
【００１１】
【図１】本発明の実施形態に係る装飾機構の全体構成を示す断面図である。
【図２】本発明の実施形態に係る透明エアカバーの全体構成を示す正面図である。
【図３】本発明の実施形態に係る透明エアカバーの全体構成を示す正面図である。
【図４】発明の実施形態に係る装飾機構の全体構成を示す断面図である。
【図５】発明の実施形態に係る装飾機構の全体構成を示す断面図である。
【図６】発明の実施形態に係る装飾機構の全体構成を示す断面図である。
【図７】発明の実施形態に係る装飾機構の全体構成を示す断面図である。
【図８】発明の実施形態に係る装飾機構の全体構成を示す断面図である。。
【図９】本発明の実施形態に係る装飾機構の全体構成を示す断面図である。
【図１０】本発明の実施形態に係る装飾機構の全体構成を示す断面図である。
【図１１】本発明の実施形態に係る装飾機構の全体構成を示す断面図である。
【図１２】本発明の実施形態に係る装飾具の全体構成を示す断面図である。
【図１３】本発明の実施形態に係る装飾具の全体構成を示す斜視図である。
【図１４】本発明の実施形態に係る装飾機構で装飾された遊具の全体構成を示す正面図である。
【図１５】本発明の実施形態に係る装飾機構で装飾された椅子の全体構成を示す正面図である。
【図１６】本本発明の実施形態に係る装飾機構で装飾されたソファの全体構成を示す正面図である。
【図１７】本発明の実施形態に係る装飾機構で装飾されたベッドの全体構成を示す斜視図である。
【図１８】本発明の実施形態に係る装飾機構で装飾される遊戯装置の全体構成を示す側面図である。
【図１９】本発明の実施形態に係る装飾機構で装飾される遊戯装置の全体構成を示す正面図である。
【図２０】本発明の実施形態に係る装飾機構で装飾される遊戯装置の全体構成を示す正面図及び平面図である。
【発明を実施するための形態】
【００１２】
（実施の形態１）
以下に、図面を参照して本発明の装飾機構を使用した装飾品の例として運動具１００を説明する。図１及び、図３、図４、図５は、本発明の装飾機構４００の全体構成を示す断面図であり、図２、図３は本発明の透明エアカバー１００の全体構成を示す正面図である。ただし、本発明に直接には関係しない各部の詳細は省略している。
【００１３】
すなわち、図１に示すように、本発明の装飾機構４００は、空気を充填した弾性部材と、発光素子（後述のＬＥＤ３００）を備える。所定の枠体３１０（後述する）に上記装飾機構４００を使用することで装飾品を形成する。まず、上記空気を充填した透明エアカバー１００を形成する。例えば、図２、図３に示すように、透光性の弾性素材を用いて、両端が閉じた複数の筒状部材１1０を形成する。弾性部材を丸めてその両端を閉じて筒状部材１1０を形成した。そして、上記複数の筒状部材を所定間隔を空けて配置することで透明エアカバー１００を形成する。上記筒状部材１1０の側面同士が対向するように配置した。筒状部材同士は連結部１２２で連結される。若しくは、図３に示すように、透明シート１２０上に筒状部材１１０を配置し、上記透明シートと筒状部材を連結部１２２で連結することが出来る。使用の際には、上記筒状部材１1０間を切断すればよい。透明シート上に上記筒状部材１1０を配置してもよい。
【００１４】
筒状部材１1０間を切断しやすくするための補助部材を上記筒状部材間に配置してもよい。例えば、２個の棒状の補助部材を上記筒状部材１1０間に配置する。補助部材が案内となり、補助部材間をまっすぐに切断することが可能となる。
上記補助部材間を切断した後、補助部材同士を連結部材で連結することもできる。例えば、補助部材を嵌合可能な２個の嵌合部を結合して連結部材を形成する。上記嵌合部に補助部材を嵌合すると、補助部材同士が連結することになる。上記筒状部材１1０の両端が封止されることにより、筒状部材１1０内に空気が密閉される。したがって、より反発力が高まるので、上記筒状部材１1０を含む透明エアカバー１００にぶつかったとしても、ユーザの怪我を防止することができる。上記透明エアカバー１００は、後述のＬＥＤの光を一部遮り、且つ枠体を被覆可能な弾性部材であればよい。
【００１５】
上記のように形成した透明エアカバー１００を使用して装飾品を形成する。枠体を備えた物品であれば本発明の装飾品とすることができる。例えば、椅子、ベッドのような家具や、遊具や、建物内の置物にも使用することが出来る。
以下、上記透明エアカバーを使用する装飾品の一例として室内遊園地に設置される運動具について説明する。図１及び、図３、図４、図５を参照して、運動具枠体３１０の外形が断面円状の場合を説明する（枠体の外形は楕円状でも構わない）。まず、芯体としての上記枠体３１０にウレタン３２０の様な弾性部材を被覆する。本実施例では、筒状に形成したウレタン３２０で、上記枠体３１０を被覆した。
【００１６】
上記のように、運動具枠体３１０をウレタン３２０で被覆した後、上記ウレタン３２０上にＬＥＤ３００のような照明部材を配置する。そして、ウレタン３２０と透明エアカバー１００間に上記ＬＥＤ３００を挟んだ状態で、上記透明エアカバー１００をウレタン３２０上に配置する。空気層を含んだ上記透明エアカバー１００が、上記ＬＥＤ３００の光を一部遮るので、上記光が直接ユーザの目に入ることがない。従って、ユーザは、ぼんやりとした光を見ることになる。上記透明エアカバー１００は、ＬＥＤ３００の光を一部遮り、且つ枠体３１０を被覆可能な弾性部材であればよい。上記運動具枠体３１０にウレタン３２０を配置し、ウレタン３２０と透明エアカバー１００間に上記ＬＥＤ３００を挟んだ状態で、上記透明エアカバー１００をウレタン３２０上に配置することにより、本発明の装飾機構４００が構成される。
【００１７】
上記のように、透明エアカバー１００を被覆した後、本実施例では、透明カバー３３０で更に被覆した。例えば、透明シートを上記透明エアカバー１００を被覆した運動具枠体を被覆可能な形状に切断する。そして、ファスナーのような固定手段を透明シートに溶着若しくは縫製することで、透明カバー３３０を形成した。上記透明カバー３３０は、いわゆる３Ｄシート若しくは、ホログラムシートで形成した。例えば、特殊な撮影によって作られた立体画像や、目の位置を動かすか、製品を動かすと変化する画像などを印刷したシートと、円筒形のレンズを多数並べて作られたレンチキュラーレンズを貼り合わせたものである。
【００１８】
上記透明エアカバー１００は筒状部材１1０を外側にして使用してもよいし、筒状部材１1０を内側にして使用してもよい。特に、筒状部材１1０を外側にすることで、筒状部材１1０により凹凸が形成される。これにより、装飾機構４００に凹凸が形成されるので、ユーザが持ちやすい装飾機構４００が構成される。
上記運動具枠体に直接透明エアカバーを被覆することもできる。そして、上記透明エアカバーを上記透明カバーで被覆してもよい。この場合、ＬＥＤ３００は、枠体と透明エアカバー間若しくは、透明エアカバーと透明カバー間に配置されることになる。
【００１９】
また本発明の装飾機構４００の発光素子が音楽に合わせて点滅してもよい。予め点滅パターンを登録しておき、ユーザの希望する点滅パターンを実行してもよい。
（実施の形態２）
次に、図６、図７を参照して、矩形状の枠体３５０の場合を説明する。（枠体３５０の外形は丸みを帯びた矩形状でも構わない）。枠体の形状を矩形状にする以外の構成は実施の形態1と同じなので、図示説明は省略する。まず、上記枠体３５０にウレタン３２０の様な弾性部材を被覆する。例えば、矩形状に形成したウレタン３２０で、上記枠体を被覆した。ウレタン３２０シートに切れ目を入れて矩形状に形成してもよい。
【００２０】
上記のように、運動具枠体３５０をウレタン３２０で被覆した後、上記ウレタン３２０上にＬＥＤ３００のような照明部材を配置する。そして、ウレタン３２０と透明エアカバー１００間に上記ＬＥＤ３００を挟んだ状態で、上記透明エアカバーをウレタン３２０上に配置する。空気を密閉した上記透明エアカバー１００が、上記ＬＥＤ３００の光を一部遮るので、上記光が直接ユーザの目に入ることがない。従って、ユーザは、ぼんやりとした光を見ることになる。上記透明エアカバー１００は、ＬＥＤ３００の光を一部遮り、且つ枠体３５０を被覆可能な弾性部材であればよい。上記運動具枠体３５０にウレタン３２０を配置し、ウレタン３２０と透明エアカバー１００間に上記ＬＥＤ３００を挟んだ状態で、上記透明エアカバー１００をウレタン３２０上に配置することにより、本発明の装飾機構４００が構成される。
【００２１】
上記のように、透明エアカバー１００を被覆した後、本実施例では、透明カバー３３０で更に被覆した。例えば、透明シートを上記透明エアカバー１００を被覆した運動具枠体３５０を被覆可能な形状に切断する。そして、ファスナーのような固定手段を透明シートに溶着若しくは縫製することで、透明カバー３３０を形成した。上記透明カバー３３０は、いわゆる３Ｄシート若しくは、ホログラムシートで形成した。例えば、特殊な撮影によって作られた立体画像や、目の位置を動かすか、製品を動かすと変化する画像などを印刷したシートと、円筒形のレンズを多数並べて作られたレンチキュラーレンズを貼り合わせたものである。
【００２２】
上記透明エアカバー１００は筒状部材１1０を外側（図７参照）にして使用してもよいし、筒状部材１1０を内側（図６参照）にして使用してもよい。特に、筒状部材１1０を外側にすることで、筒状部材１1０により凹凸が形成される。これにより、装飾機構４００に凹凸が形成されるので、ユーザが持ちやすい装飾機構４００が構成される。
上記運動具枠体３５０に直接透明エアカバー１００を被覆することもできる。そして、上記透明エアカバー１００を上記透明カバー３３０で被覆してもよい。この場合、ＬＥＤ３００は、枠体３５０と透明エアカバー１００間若しくは、透明エアカバー１００と透明カバー３３０間に配置されることになる。
【００２３】
また本発明の装飾機構４００の発光素子が音楽に合わせて点滅してもよい。予め点滅パターンを登録しておき、ユーザの希望する点滅パターンを実行してもよい。
【００２４】
（実施の形態３）
次に、図８、図９を参照して、山形鋼の形状の枠体３５５の場合を説明する。（枠体３５５の外形は等辺山形鋼でも不等辺山形鋼でも構わない）。枠体の形状を山形鋼にする以外の構成は実施の形態1と同じなので、図示説明は省略する。まず、上記枠体３５５にウレタン３２０の様な弾性部材を被覆する。例えば、山形鋼枠体３５５の２つの辺の間に角状のウレタン３２０を配置することで、全体を矩形状に形成する。その後、矩形状に形成したウレタン３２０で、上記枠体３５５を被覆した。ウレタン３２０シートに切れ目を入れて矩形状に形成してもよい。
【００２５】
上記のように、山形鋼運動具枠体３５５をウレタン３２０で被覆した後、上記ウレタン３２０上にＬＥＤ３００のような照明部材を配置する。そして、ウレタン３２０と透明エアカバー間に上記ＬＥＤ３００を挟んだ状態で、上記透明エアカバー１００をウレタン３２０上に配置する。空気を密閉した上記透明エアカバー１００が、上記ＬＥＤ３００の光を一部遮るので、上記光が直接ユーザの目に入ることがない。従って、ユーザは、ぼんやりとした光を見ることになる。上記透明エアカバー１００は、ＬＥＤ３００の光を一部遮り、且つ山形鋼枠体３５５を被覆可能な弾性部材であればよい。上記山形鋼運動具枠体３５５にウレタン３２０を配置し、ウレタン３２０と透明エアカバー１００間に上記ＬＥＤ３００を挟んだ状態で、上記透明エアカバー１００をウレタン３２０上に配置することにより、本発明の装飾機構４００が構成される。
【００２６】
上記のように、透明エアカバー１００を被覆した後、本実施例では、透明カバー３３０で更に被覆した。例えば、透明シートを上記透明エアカバー１００を被覆した運動具枠体３５５を被覆可能な形状に切断する。そして、ファスナーのような固定手段を透明シートに溶着若しくは縫製することで、透明カバー３３０を形成した。上記透明カバー３３０は、いわゆる３Ｄシート若しくは、ホログラムシートで形成した。例えば、特殊な撮影によって作られた立体画像や、目の位置を動かすか、製品を動かすと変化する画像などを印刷したシートと、円筒形のレンズを多数並べて作られたレンチキュラーレンズを貼り合わせたものである。
【００２７】
上記透明エアカバー１００は筒状部材１1０を外側（図９参照）にして使用してもよいし、筒状部材１1０を内側（図８参照）にして使用してもよい。特に、筒状部材１1０を外側にすることで、筒状部材１1０により凹凸が形成される。これにより、装飾機構４００に凹凸が形成されるので、ユーザが持ちやすい装飾機構４００が構成される。
上記運動具枠体３５５に直接透明エアカバー１００を被覆することもできる。そして、上記透明エアカバー１００を上記透明カバー３３０で被覆してもよい。この場合、ＬＥＤ３００は、山形鋼枠体３５５と透明エアカバー１００間若しくは、透明エアカバー１００と透明カバー３３０間に配置されることになる。
【００２８】
図１４に示すように、本発明の装飾機構４００で装飾する運動具や遊具４５０は公園や遊園地に配置されている一般的なものである。例えば、登り棒及び、回転遊具や、鉄棒、滑り台、ぶらんこ、ジャングルジム、うんてい、シーソー、ジャングルジムのような運動具及び、当該運動具の組み合わせを本発明の装飾機構で装飾できる。
【００２９】
（実施の形態４）
図１０、図１１を参照して、本発明の装飾機構４００を帯のような部材を芯体とする場合を説明する。帯部を芯とする以外の構成は上記実施の形態と同じであるので、図示、説明は省略する。ブランコのような場合、椅子部を帯部でつるす必要がある。この場合の帯部に本発明の装飾機構４００を適用することが出来る。まず、ウレタン３２０の様な弾性部材で帯部２００を挟む。そして、上記ウレタン３２０と帯部２００を透明エアカバー１００で被覆する。さらに、上記透明カバー３３０で被覆することで、本発明の装飾機構４００が構成できる。ＬＥＤ３００は、上記ウレタン３２０と透明エアカバー１００間に配置する。図１１のように、帯部を直接透明エアカバー１００で被覆してもよい。
【００３０】
さらに、図１２、図１３に示すように、ウレタン３２０の様な弾性部材を芯とする装飾具４２０を遊具や運動具に取り付けることが出来る。ウレタン３２０を透明エアカバー１００で複数回被覆する。本実施例では、ウレタン３２０の上に透明エアカバー１００を２重に巻きつけた。ＬＥＤ３００は、ウレタン３２０と透明エアカバー１００の間に配置する。本実施例では、芯となるウレタン３２０にＬＥＤ３００を複数階巻きつける。そして、上記ウレタン３２０の上から上記透明エアカバー１００を巻きつけた。上記透明エアカバー１００は上記透明カバー３３０で被覆される。
【００３１】
本発明の装飾機構４００で装飾する家具はオフィスや家庭で使用する一般的な家具でよい。例えば、図１４、図１５、図１６、図１７に示すように、椅子５００、ソファ６００、ベッド７００、机、のような家具に、タンスや棚のような収納家具、本発明の装飾機構を適用できる。
また本発明の装飾機構４００で装飾する遊戯装置８００は、図１８に示すように、らせん状に屈曲した円管を回転可能にななめに配置した装置８００を構成できる。図１９に示すような、装飾具４２０を垂下させた遊戯装置８００を構成できる。そして図２０に示すようにシーソ状の遊戯装置８００を構成できる。
【００３２】
また本発明の装飾機構４００の発光素子が音楽に合わせて点滅してもよい。予め点滅パターンを登録しておき、ユーザの希望する点滅パターンを実行してもよい。
【産業上の利用可能性】
【００３３】
本発明は、物品の枠体を芯体とする物品の装飾機構である。上記装飾機構は、透光性エアカバーと、発光素子を備える。透光性エアカバーは、芯体を被覆し、内部に空気を密閉したカバーであり、発光素子は、上記芯体と上記透光性エアカバー間に配置される。
芯体と透光性エアカバー間に発光素子を配置することにより、透光性エアカバーが発光素子の光量を減少させることになる。従って、ユーザの顔が触れるところにも上記発光素子を使用することができる。更に、透光性エアカバーにより、枠体の表面を柔らかく仕上げることが出来るので、発光素子を柔らかい素材に適用することが可能となるので、その産業上の利用可能性は大きい。
【符号の説明】
【００３４】
１００  透明エアカバー
１１０  筒状部材
４００  装飾機構
３００  ＬＥＤ
３２０  ウレタン
３１０  枠体（断面円状）
３３０  透明カバー
３５０  枠体（矩形状）
３５５  枠体（山形鋼）
４２０  装飾具
【図１】
0006485965.tif 000002
【図２】
0006485965.tif 000003
【図３】
0006485965.tif 000004
【図４】
0006485965.tif 000005
【図５】
0006485965.tif 000006
【図６】
0006485965.tif 000007
【図７】
0006485965.tif 000008
【図８】
0006485965.tif 000009
【図９】
0006485965.tif 000010
【図１０】
0006485965.tif 000011
【図１１】
0006485965.tif 000012
【図１２】
0006485965.tif 000013
【図１３】
0006485965.tif 000014
【図１４】
0006485965.tif 000015
【図１５】
0006485965.tif 000016
【図１６】
0006485965.tif 000017
【図１７】
0006485965.tif 000018
【図１８】
0006485965.tif 000019
【図１９】
0006485965.tif 000020
【図２０】
0006485965.tif 000021